(57)【特許請求の範囲】
【請求項１】
光線（７）を発する第１の面光源（２；１２；２２；３２；４２）を備えている、自動車用投光装置（１；１１；２１；３１；４１）であって、前記第１の面光源から発せられた前記光線の方向を変える光反射システム（４；１４；２４；３４；４４）及び第２の面光源（３４；４４１）を備え、前記光反射システム（３４；４４１）の少なくとも一部は、前記第２の面光源の構成要素となっており、前記光反射システムは、有機発光ダイオードの電極であり、前記第１の面光源（２２；３２）は、有機発光ダイオードであり、透明で、光反射システム（３４；４４１）の前に載置されており、また、第２の面光源より発せられた光線を、前記第１の面光源（２；１２；２２；３２；４２）を通過させた後に、投光装置から出て行き、前記第１の面光源とぶつかる反射光の一部を、前記第１の面光源を通過させることを特徴とする自動車用投光装置。
【請求項２】
前記光反射システムは、１つ以上の構成要素（３４）によって形成されていることを特徴とする請求項１に記載の自動車用投光装置。
【請求項３】
前記光反射システムは、前記第１の面光源が発する光ビームを、拡散させる形状を有することを特徴とする請求項１若しくは２に記載の自動車用投光装置。
【請求項４】
前記第１の面光源の発光面積は、１ｃｍ２より大きいことを特徴とする請求項１〜３のいずれか１項に記載の自動車用投光装置。
【請求項５】
前記第１の面光源の発光面積は、１０ｃｍ２より大きいことを特徴とする請求項４に記載の自動車用投光装置。
【請求項６】
前記第１の面光源は、少なくとも５，０００Ｃｄ／ｍ２の輝度を有することを特徴とする請求項１〜５のいずれか１項に記載の自動車用投光装置。
【請求項７】
表示灯であることを特徴とする請求項１〜６のいずれか１項に記載の自動車用投光装置。
【請求項８】
前記第１の面光源は、複数の面発光素子を備えていることを特徴とする請求項１〜７のいずれか１項に記載の自動車用投光装置。
【発明の詳細な説明】
【技術分野】
【０００１】
本発明は、車両が道路上を移動している時、他の車両から自車両が見えるようにするか、または自車両の運転者が、外を見ることができるようにする、光度測定機能を有する、照明および／または表示装置などの、自動車用投光装置に関する。
【背景技術】
【０００２】
自動車の投光装置の光源として、面光源を使用すること、特に、ＯＬＥＤとも呼ばれている有機発光ダイオードを使用することは、例えば特許文献１により公知である。この特許文献１における自動車の投光装置は、自動車用指示装置でもある。有機発光ダイオード型の光源は、極めて均一の光を提供することができるが、次に述べるいくつかの欠点も有する。
−まず、現在の有機発光ダイオードは、低分子が最も効率的であり、例えば車用のリヤフェンダなどの限られた空間に、表示機能を発揮させるのに適しているため、低分子を使用している。しかし、この分子を、水および酸素の分子から保護する必要があり、ガラス板を使用して保護している。従って、表示機能を実現するために使用する有機発光ダイオードは、発光層に接触する保護ガラス板を備えている。このガラス板は、有機発光ダイオードの取りうる形状を非常に限定している。そのため、有機発光ダイオードは、平らな面、または最大限譲歩しても、線織面を有する必要があり、自動車用光装置の通常のガラス板などの、歪曲面を有するスクリーンで構成することはできない。従って、デザイン上の問題がある。
−次に、現在の技術による有機発光ダイオードがもたらす輝度は、ある種の表示機能（「車幅灯」「停止灯」および「後部中央停止灯」表示機能など）を提供するのに十分ではない。今日の技術による有機発光ダイオードは、通常１，０００Ｃｄ／ｍ２の輝度を有するのに対して、前述の機能を実行するためには、５，０００〜１０，０００Ｃｄ／ｍ２の輝度が必要である。しかし、現在の有機発光ダイオードは、ダイオードの発光指向性を、その発光面の直角方向に著しく高めることができる。従って、ダイオードの発光力を増大することなく、輝度を、例えば１０倍などに大幅に高めることができ、約１０，０００Ｃｄ／ｍ２に到達させることができる。この有機発光ダイオードは、非常に指向性が強い。そのため、前述の欠点に加えて、有機発光ダイオードを、車両の前後軸に、またはより一般的には、光を放射すべき方向に、向けなければならないという欠点を有する。そのため、デザイン上の問題、特にサイズおよび形状において問題を有する。
【０００３】
従って、自動車の照明および／または表示装置において、有機発光ダイオードは、その面が線織面の場合だけ、使用することが可能である。そのため、可撓性の基板上に有機発光ダイオードを置くことによって、照明および／または表示装置を作成することができる。この技術は、有機発光ダイオードを平らなガラス基板上に置く技術に比べて、性能のレベルが非常に低い。
【０００４】
特許文献２による、自動車のパッセンジャーコンパートメント用の照明装置も公知であり、この照明装置は、
−上面に第１の光コンポーネントが接合されている有機発光ダイオードの群と、
−第２の光コンポーネントとを備えている。
【０００５】
特許文献３および特許文献４による、自動車の表示装置も公知であり、これらの表示装置は、光線が全反射により閉じ込められにくいこと、従って、透明基板から出て行き易いことを利用して、有機発光ダイオードの性能を改善するために、空間的に反復しているパターンを有する光コンポーネントによって覆われた有機発光ダイオードを備えている。この技術は、光コンポーネントが基板に接合されている場合だけ、言い換えると、光コンポーネントが平面に接合されている場合だけ、利用できる。しかしこの表示装置は、前述の問題を解決していない。
【０００６】
特許文献５により、指向性が高い光ビームを発する有機発光ダイオード装置も公知である。この有機発光ダイオードは、２つの電極の間に、種々の層、特に、発光層、発光層までの電子の運搬を促進する層、および発光層までの正孔の運搬を促進する層を備えている。これらの層は、マイクロキャビティを形成し、その厚さは、光共鳴するように調節されている。この構造によると、指向性の高い光ビームを発することができる。
【先行技術文献】
【特許文献】
【０００７】
【特許文献１】独国特許出願公開第１０２００７０１８９８５号明細書
【特許文献２】独国特許出願公開第１０２００７０１８９８６号明細書
【特許文献３】独国実用新案第２０２０７７９９号明細書
【特許文献４】欧州特許出願公開第１４８５９５９号明細書
【特許文献５】仏国特許出願公開第２９２６６７７号明細書
【発明の概要】
【発明が解決しようとする課題】
【０００８】
本発明の目的は、自動車の投光装置、特に、簡単で、かつ寸法およびデザイン上の制約が小さい投光装置を提供することである。
【０００９】
より具体的には、本発明の目的は、自動車の投光装置、特に、光線を発する第１の面光源を備えている、自動車用の照明および／または投光装置を提供することであり、本発明による自動車の投光装置は、第１の面光源から発せられる光線の方向を変える光反射システムを備えている。これにより、第１の面光源に対する位置の制約をなくすことができる。一実施形態においては、この投光装置は、面光源および光反射システムを収容するケーシングを備えている。このケーシングは、光反射システムによって反射された光線が出て行くカバーレンズによって閉じられている。
【課題を解決するための手段】
【００１０】
光反射システムは、光源が有機発光ダイオードであるとき、太陽光が光源に反射し、車両の運転者の目をくらます危険を克服するための手段、例えばそのような、パターンを有することが好ましい。具体的には、太陽光は、光反射システム、有機発光ダイオード、そして再び光反射システムで反射した後に、すべての方向に発散され、目をくらます危険がほとんどなくなる。
【００１１】
特に、第１の面光源は、第１の方向に光線を発することができ、光反射システムは、第１の方向に発せられた光線を、第１の方向とは異なる第２の方向に変えることができる。従って、第１の面光源は、必ずしも投光装置が光を発する必要がある方向を向かなくてもよい。
【００１２】
光反射システムは、１つ以上の構成要素をもって構成することができる。このようにすると、サイズの小さい投光装置を作ることができる。
【００１３】
この装置は、第２の面光源を備えることができる。これにより、装置の輝度を高めること、および／またはいくつかの色の光を必要とする複数の機能を提供すること、および／または光装置のサイズの制約を満足させることができる。
【００１４】
光反射システムの少なくとも一部は、第２の面光源の一部を構成していることが好ましい。このようにすると、投光装置を構成するコンポーネント数を制限することができる。具体的には、光反射システムは、少なくとも一部が、有機発光ダイオードの電極であってもよい。有機発光ダイオードは、反射鏡の反射面に隣接して設けることができる。この場合、光反射システムは、第２の面光源の反射部と、反射鏡との両方を備えている。この反射鏡なしに、光反射システムを作ることもできる。この場合、光反射システムは、第２の面光源の一部を構成する。すなわち、この光反射システムは、第２の面光源の少なくとも一部によって作られる。
【００１５】
光反射システムは、第１の面光源から発せられた光ビームを拡散させる形状を有することができる。これにより、発せられた光線から所望の光分布を得られるようになり、照明および／または表示装置の外観を、特定のものとすることができる。
【００１６】
第１の面光源は、有機発光ダイオードであることが好ましい。これは、現在広く使用されており、その価格も下がっている。
【００１７】
第１の面光源を、透明にすることができる。こうすることにより、第２の面光源から発せられた光は、第１の面光源を通過した後、投光装置から出て行くことができる。従って、第１の面光源が、光反射システムの前に置かれている場合においては、第１の面光源とぶつかる反射光の一部は、それを通過する。これにより、発光力の損失は低減する。
【００１８】
面光源の発光面積は、１ｃｍ２より大きくすることができる。機能の視認性を向上させるために、この表面積を１０ｃｍ２より大きくすることができる。
【００１９】
第１の面光源は、ランバート発光ダイオードと比べて、その発光面の直角方向に大きい発光指向性を有する。従って、光源の放射力を増大することなく、発光面に直角の方向の周りの所与の方向の輝度を、例えば５〜１０倍などに著しく高めることができる。第１の面光源が、少なくとも５，０００Ｃｄ／ｍ２の輝度を有し、好ましくは少なくとも１０，０００Ｃｄ／ｍ２の輝度を有するとよい。現在、このような方向性およびこの輝度を有する有機発光ダイオードが存在する。例えば、特許文献５などに記載されている発光ダイオードを使用することができる。例えば、面光源の高い指向性は、この光源の強度が、放射角θの関数として、次のタイプである。
ｃｏｓ（θ）∧ｎ
ここで、ｎは、１０〜２０の間で変わる累乗である。
「ｃｏｓ（θ）∧ｎのタイプ」という表現は、ｃｏｓ（θ）∧ｎの関数と同じように変化する放射角θの関数を指すものである。
【００２０】
一実施形態においては、この投光装置は、車両位置表示機能、方向変更表示機能、逆進表示機能、ブレーキ表示機能、霧の際の位置表示機能などの、表示機能を行う装置である。
【００２１】
一実施形態においては、本発明による自動車の投光装置は、例えば、ハイビーム機能、ロービーム機能、およびフォグビーム機能などの道路照明機能を提供するために使用される。
【００２２】
一実施形態においては、本発明による自動車の投光装置は、例えば、パッセンジャーコンパートメントの照明機能を提供するために使用される。
【００２３】
本発明の一変形形態においては、本発明による自動車の投光装置は、車両のパッセンジャーコンパートメントの室内装飾光を作り出すようになっている。
【００２４】
第１の面光源は、複数の面発光素子、特に複数の有機発光ダイオードを備えることができる。従って、投光装置のカバーレンズの曲線を、より密接に追随することができる。
【００２５】
面光源は、有機発光ダイオード（ＯＬＥＤ）を有するのが好ましい。一変形形態として、面光源は、例えば、光拡散器に関係しているランプ、またはＬＥＤ（すなわち、寸法が小さい光電コンポーネントを備えている発光ダイオード）などの光源を有することができる。この光源は、このランプまたはこのＬＥＤからの光を拡散させるようになっている光拡散器の背後に設けられる。
【００２６】
本発明の別の主題は、上に定義した投光装置を備える自動車である。
【００２７】
添付の図面は、本発明による投光装置の種々の実施形態を例示している。
【図面の簡単な説明】
【００２８】
【図１】本発明による自動車の投光装置の第１の実施形態のブロック図である。
【図２】本発明による自動車の投光装置の第２の実施形態のブロック図である。
【図３】本発明による自動車の投光装置の第３の実施形態のブロック図である。
【図４】本発明による自動車の投光装置の第４の実施形態のブロック図である。
【図５】本発明による自動車の投光装置の第５の実施形態のブロック図である。
【図６】第１の拡散方法により得られる光ビームの拡散パターンを示す図である。
【図７】第２の拡散方法により得られる光ビームの拡散パターンを示す図である。
【図８】有機発光ダイオードの断面図である。
【発明を実施するための形態】
【００２９】
本発明の原理は、自動車用投光装置において、例えば面に直角の方向に特に高い指向性と、高い輝度を有する有機発光ダイオードなどの面光源を使用し、その面光源から少し離れて設けられている光反射システムと、その面光源とを組み合わせることである。光反射システムは、有機発光ダイオードから発せられた光線の方向を全面的に変える機能を有し、それによって、投光装置にとって有用な光線の所望の方向とは必ずしも直角でない位置に、有機発光ダイオードを設置することを可能にする。また、光反射システムは、光線を拡散させる機能も有していることが好ましい。
【００３０】
従って、面光源から発せられる、この光源の面に直角方向の光線は、光反射システムによって方向を変え、例えば自動車の縦軸に平行などの、投光装置の外の選択された方向に向けられる。
【００３１】
次に、自動車用投光装置１の原理について、図１を参照して説明する。投光装置は、例えばハイビーム照明、ロービーム照明、フォグビーム照明、車両位置表示、方向変更表示、逆進表示、ブレーキ表示、霧の際の表示などの機能の１つを提供するために使用される。
【００３２】
図１は、照明および／または表示装置を示している。前述のことから明らかなように、これは限定するものではない。本発明による自動車の投光装置は、例えばパッセンジャーコンパートメントの室内装置とすることもできる。照明および／または表示装置は、主として
−ケーシング３およびカバーレンズ９によって形成されている閉じた筐体と、
−第１の面光源２と、
−光反射システム４とを備えている。
【００３３】
光反射システムは、少なくとも局所的に見ると、第１の面光源から少し離して設けられている。
【００３４】
第１の面光源は、動作時に、例えば光源の面に直角などの主として第１の方向５に、光ビーム７を発する。光ビームは、光反射システム４によって、方向を変え、形状を整えられている。このようにして得られた光線８は、カバーレンズ９を通って投光装置を出て、投光機能を発揮する。投光装置から出た光線は、全体として、投光機能に応じて選択された第２の方向６と平行であることが好ましい。提供される投光機能に応じて、光線８によって形成されているビームは、程度の差はあるが、顕著な拡散を示すことがある。すなわち、この光線８は、第２の方向６と平行な軸を有し、程度の差はあるが、顕著な先端角を有する円錐の中に含まれている。この先端角は、拡散に相当する。さらに、この円錐は、必ずしも回転によって得られる完全な円錐形ではない。実際に、相当数の光機能に関して、方向６と直交するこの円錐の断面の高さは、その幅より小さい方が好ましい。
【００３５】
光反射システムは、面光源からの光の主放射方向に対して、第１の面光源に面する全面に及んでいることが好ましい。従って、第１の面光源から主放射方向に放射されるすべての光線または少なくともほとんどの光線は、光反射システムによって方向を変え、前述の円錐と同じ円錐に含まれたまま、投光装置から出て行く。
【００３６】
例えば、光反射システム４は、例えば平面反射鏡または形状の歪んだ反射鏡などの、簡単な反射鏡で構成することができる。反射鏡の形状は、全体として、第１の面光源から発せられた光線を、照明および／または表示機能によって必要とされる第２の方向６に向けるのに適していることが好ましい。さらに、反射鏡の形状は、前述のように、光ビームを拡散させるのにも適していることが好ましい。
【００３７】
光反射システムは、反射基本パターンを有することができる。この反射基本パターンは、平面であってもよい。従って、第１の面光源からこの基本パターンが受け取った基本光ビームは、拡散されることなく反射される。また、反射基本パターンは、凸面でもよい。従って、第１の面光源からこの基本パターンが受け取った基本光ビームは、反射されて拡散する。
【００３８】
例えば、第１の方向および第２の方向は、少なくとも１０°の角を成してもよい。
【００３９】
特に、第１の面光源は、水平に設置してもよい。また、第１の面光源は、装置のカバーレンズの曲線に従う端面も有してもよい。
【００４０】
一変形形態においては、第１の面光源は、その複数の面のそれぞれから光を発するタイプであってもよい。第１の面光源は、２つの透明電極を有する有機発光ダイオードであってもよい。その場合、面光源の複数の面のそれぞれから発せられる光線を反射するための光反射システムを有していてもよい。
【００４１】
図２に示す光装置の第２の実施形態１１は、光反射システム１４が複数の素子１４１として実施され、これらの素子が第１の面光源１２によって照らされている点において、図１の第１の実施形態とは異なる。このような構成により、寸法の大きい光反射システムでなくても、寸法の大きい面光源とすることができる。
【００４２】
個々の素子１４１は、例えば、互いに平行に、および／または互いから同じ距離に設けることができる。
【００４３】
個々の素子は、第１の面光源とカバーレンズとの間の、水平、またはほぼ水平の細片の形になっていることが好ましい。具体的には、このような構成は、面光源上で太陽光が反射するという望ましくない作用を、制限することを可能にする。さらに、このような構成は、美的効果を生み出す。
【００４４】
個々の素子は、互いに影響を及ぼすことができる。すなわち、素子の中のある素子で反射された光線を、他の素子が反射することができる。
【００４５】
図３に示す光装置の第３の実施形態２１は、第１の面光源２２が、透明タイプであり、かつ方向６に関して光反射システム２４の前に位置している点において主として、図１の第１の実施形態とは異なる。従って、第１の面光源は、その複数の面のそれぞれから光を発する。この構成では、第１の面光源のある面から発せられた光線は、光反射システムによって方向を変えられることなく、光装置を出て行くのに対して、第１の面光源の他の面から発せられた光線は、光反射システムで方向を変えてから、光装置を出て行く。反射光線の中には、光反射システムで反射後、直接カバーレンズに達するものもあり、また第１の面光源を通過してから、カバーレンズに達するものもある。第１の面光源を通過する時、光線の一部が吸収されることに留意すべきである。
【００４６】
図示の構成において、光反射システム２４の面積は、第１の面光源２２の面積より大きい。しかし、その逆の場合を想定することができる。
【００４７】
図４に示す光装置の第４の実施形態３１は、光反射システム３４が第２の面光源の一部を形成している点において、図３の第３の実施形態とは異なっている。光反射システム３４は、有機発光ダイオードの一部を形成することが好ましい。光反射システム３４は、有機発光ダイオードの電極である。
【００４８】
第２の面光源は、単一の有機発光ダイオード、または歪曲面を近似している複数の有機発光ダイオードの群、または歪曲面を有する１つの有機発光ダイオードから構成してもよい。
【００４９】
この実施形態においては、光線の経路を前の実施形態で説明している第１の面光源３２に加えて、第２の面光源が、光線を発する。その光線の少なくとも一部は、第１の面光源３２を通過してから、光装置のカバーレンズに達する。一変形形態として、第２の面光源は、第１の面光源から後方に発せられた光線を反射するが、この第２の面光源から放射された光線は、第１の面光源を通過することなくレンズに達するように、この第２の面光源を構成することができる。
【００５０】
例えば、第１の面光源および第２の面光源は、異なる波長、従って異なる色を発することができる。
【００５１】
第１および第２の面光源は、同時に、または互いに独立に動作させることができる。特に、第１の面光源を動作させると、第１の機能の提供を可能にすることができ、第２の面光源を動作させると、第２の機能の提供を可能にすることができ、両方の面光源を同時に動作させると、第３の機能の提供を可能にすることができる。
【００５２】
第２の面光源は、ランバート発光ダイオードであってもよい。
【００５３】
図５に示す投光装置の第５の実施形態４１は、光反射システム４４が複数の素子４４１からなり、これらの素子は、第２の面光源であり、かつ第１の面光源によって照らされている点において、図２に示す第２の実施形態とは異なっている。この構成により、光反射システムの寸法が大きくなくても、寸法の大きい面光源を得ることができる。
【００５４】
個々の素子４４１は、有機発光ダイオードであることが好ましい。これらは、透明タイプ、すなわち、それぞれの面から光を発するタイプであってもよいし、不透明タイプ、すなわち、単一面から光を発するタイプであってもよい。
【００５５】
個々の素子４４１は、互いに影響を及ぼすことができる。すなわち、素子の中のある素子から放射または反射された光線を、他の素子が反射することができる。
【００５６】
第２の面光源は、ランバート発光ダイオードであってもよい。
【００５７】
図１〜図５における断面は、水平の断面と同様に垂直の断面でもよい。さらには、傾いた断面でもよい。
【００５８】
図示しない別の実施形態においては、投光装置は、２つ以上の面光源を備えている。これらの２つの光源は、並置されていてもよい。それらは、主として２つの異なる方向に光を発することができる。光反射システムは、種々の光源から発せられた光ビームを変向したり形状を整える。このようにして得られる光ビームを、全体として、同じ方向に向けることができる。あるいは、第１の面光源から来る光ビームを、全体として、第１の方向に変えることができ、第２の面光源から来る光ビームを、全体として、第２の方向に変えることができ、この第１の方向と第２の方向は異なる。
【００５９】
第１の面光源に面する光反射システムの一部は、第２の面光源に面する光反射システムの一部とは異なる光特性を有してもよい。この場合、投光装置の外観が突然変化するのを避けるために、光特性を徐々に変化させることが好ましい。光源は、それらの発光面を異なる方向に向けた状態で、一緒に接合されてもよいし、またされなくてもよい。光反射システムは、各独立光源から来る光ビームを、所望の全体的方向へ向ける。このようにして、面光源の向きに対する制約を克服することができる。従って、面光源は、投光装置のデザインに応じて、例えばその曲線に従って、配置することができる。この場合、光反射システムは、光ビームの全体的方向、および所望の拡散を与えるのに適するようになっている。また、この実施形態では、オン時の外観と、オフ時の外観が異なる。例えば有機発光ダイオードなどの面光源の表面は、特に面光源が高い指向性をもって発する時、面光源がオンかオフかによって同じようには見えない。この実施形態を、前述の他の実施形態と組み合わせることができることは言うまでもない。
【００６０】
第１および第２の面光源は、異なる色の光を発し、互いに独立に動作させることができるようにすると有利である。従って、この投光装置は、複数の機能、特に異なる色を必要とする複数の機能を提供することができる。しかし、この投光装置は、光源がオフの時、カバーレンズの外からは同じに見える。例えば、投光装置は、後部位置表示機能および方向変更表示機能の両方を提供することができる。
【００６１】
前に説明したように、自動車の照明における利用においては、光線を拡散させることが好ましいことがある。特に、垂直軸より水平軸方向に光線の拡散が大きい方が、おおむね好都合である。この光反射システムは、光ビームの主方向の周りに、光を拡散できるように配置および設計することができる。従って、光ビームは、円錐に含まれる光線の一群に相当し、この円錐の軸は、発光の方向を示している。円錐の幅は、拡散に相当する。図６は、ビームの一例を示している。このビーム例は、矩形７０で概略的に示されている。しかし光ビームは、他のどのような形状であってもよい。図６は、光装置からの光ビームが投影されているスクリーンに相当している。このスクリーンは、原則的に垂直であり、軸Ｖは、垂直方向の軸に相当し、軸Ｈは、水平方向の軸に相当する。図６は、光ビームを拡散させる処理をしていない場合の、光ビームの断面７１も示している。その場合、光ビームは、はるかに集中している。光の主放射方向の両側の光線の一部の方向を変える光反射システムを設計する、光反射システムの種々の実施形態により、拡散ビーム７０は、光装置から例えば１０ｍまたは２５ｍなどの決められた距離において得られる。これらの実施形態においては、基本的なことであるが、各光ビーム、特に光反射システムの基本パターン全体に影響を及ぼす各光ビームは、拡散されている。
【００６２】
図７に示す光装置の他の実施形態においては、同じ拡散効果が、異なるやり方で得られる。具体的には、各基本ビームは拡散しない。拡散機能は、基本ビームを第２の方向６の周りの種々の方向に変えることによって得られている。光線の拡散手段は、一群の変向手段によって形成されている。図７は、広がりパターンまたは拡散パターンの一例を示している。パターンを矩形とした例を、矩形８０で概略的に示す。しかしこのパターンは、他の任意の形状でもよい。この実施形態においては、基本光ビーム、特に光反射システムの基本パターン全体に影響を及ぼす光ビームは、拡散していない。従って、光反射システムのジオプトリの基本パターンの群に影響を及ぼす光ビームから、基本パターンから来て、種々の方向を向いている光ビームのセット（図７に示す断面８１）が得られる。光ビームの拡散パターン８０の全体にわたって分散している種々の光点の、不完全な重なりおよびオフセットにより、全体のビームが生成されている。
【００６３】
あるいは、上述の２つの原理を補完的に使用することができる。具体的には、拡散機能を有する基本パターンと、光を全部は同じ方向に放射しないようになっている基本パターンとの合成効果により、拡散機能を提供することができる。
【００６４】
１つ以上の面光源は、すべてのタイプであってもよい。しかし、有機発光ダイオード型の光源が好ましい。図８は、そのような有機発光ダイオード装置６０を示している。この装置は、有機発光ダイオード６２、および電圧発生器６１を備えている。有機発光ダイオードは、カソード６３、アノード６５、および有機層６４からなる複数の層を備えている。有機層は、電圧を印加されると、放射に対して透明であるアノード６５を通って伝播する光放射６６を発する。有機層は、必要に応じて、種々の有機材料で作られた種々の層６４１〜６４５を備えていてもよい。追加の層を備える有機発光ダイオードを使用することが好ましい。光発光層６４３に加えて、有機層は、発光層６４３までの電子の運搬を促進する層６４１、および正孔、すなわち電子の不在を発光層６４３まで運搬するのを促進する層６４５を備えている。有機層は、下位層６４３〜６４５からの正孔を阻止する層６４２、および上位層６４１〜６４３からの電子を阻止する層６４４も備えている。これらの層の全ては、マイクロキャビティを形成し、その厚さは、光共鳴するように調節されている。このようにして、共鳴キャビティを形成する選択的干渉反射器を作ることができる。例えば、前述の特許文献５に記載のタイプの有機発光ダイオードを使用することができる。
【００６５】
面光源の発光面積は、１ｃｍ２、さらには１０ｃｍ２より大きい方が好ましい。
【００６６】
前述の実施形態においては、光反射システムに設けられている基本パターンのサイズは、通常の０．５〜１ｍｍ、またはより大きい０．２〜５ｍｍ、またはさらに１０ｍｍのものまである。従って、基本パターンは、従来の製造手段を使用して得られる鋳型によって作ることができる。
【００６７】
本発明による光装置により、面光源を、平らにすることができ、かつ必ずしも、装置の外で光線が伝播することになっている方向を向く必要がないことが分かる。従って、光装置の面光源の設置は、簡単になる。そのため、実行を阻止するような位置の制約を必ずしも受けることなく、高輝度の有機発光ダイオードを使用することができる。さらに、光反射システムの拡散効果により、光反射システムのない発光ダイオードが引き起こしていた反射の問題も解決される。
【符号の説明】
【００６８】
１  第１の実施形態
２、１２、２２、３２、４２  第１の面光源
３  ケーシング
４、１４、２４、３４、４４  光反射システム
５  第１の方向
６  第２の方向
７、７ａ、７ｂ  光ビーム、光線
８  光線
９  カバー
１１  第２の実施形態
２１  第３の実施形態
３１  第４の実施形態
４１  第５の実施形態
６０  有機発光ダイオード装置
６１  電圧発生器
６２  有機発光ダイオード
６３  カソード
６４  有機層
６５  アノード
６６  光放射
７０  拡散光ビームの断面
７１  （拡散処理のない）光ビームの断面
８０  光ビームのパターン
８１  基本光ビームの断面
１４１、４４１  （光反射システム）素子
６４１  電子運搬層
６４２  正孔阻止層
６４３  発光層
６４４  電子阻止層
６４５  正孔運搬層
Ｈ  水平方向軸
Ｖ  垂直方向軸
【図１】
0005840145.tif 000002
【図２】
0005840145.tif 000003
【図３】
0005840145.tif 000004
【図４】
0005840145.tif 000005
【図５】
0005840145.tif 000006
【図６】
0005840145.tif 000007
【図７】
0005840145.tif 000008
【図８】
0005840145.tif 000009